(57)【特許請求の範囲】
【請求項１】
容器本体の相対する側壁には、それぞれ、側壁の一部を外側に膨出させることにより、内側寄りポケット及び内側寄り支脚と、外側寄りポケット及び外側寄り支脚を形成するとともに、上記容器本体に被蓋される蓋には、上記内側寄り支脚が載置される凹部及び外側寄り支脚が載置される凹部を形成し、上記内側寄り支脚が載置される凹部の裏面には、間隔の広い載置リブを垂設し、また、上記外側寄り支脚が載置される凹部の裏面には、間隔の狭い載置リブを垂設し、蓋の間隔の広い載置リブが形成された辺部が、容器本体の外側寄りポケット及び外側寄り支脚が形成された側壁側に位置し、また、蓋の間隔の狭い載置リブが形成された辺部が、容器本体の内側寄りポケット及び内側寄り支脚が形成された側壁側に位置するように、蓋を、容器本体に被せた際には、蓋が、水平状態になるように構成され、上記状態から、上記蓋を、平面上で、１８０°回転させて、容器本体に被せた際には、蓋が傾斜するように構成したことを特徴とする蓋付き容器。
【請求項２】
外側寄りポケット及び外側寄り支脚が位置する容器本体の半分と、間隔の広い載置リブが位置する蓋の半分とを、同じ色に着色し、また、内側寄りポケット及び内側寄り支脚が位置する容器本体の半分と、間隔の狭い載置リブが位置する蓋の半分とを、同じ色に着色したことを特徴とする請求項１に記載の蓋付き容器。
【発明の詳細な説明】
【０００１】
【発明の属する技術分野】
本発明は、容器本体と該容器本体に被せられる蓋とからなる蓋付き容器に関するものであり、特に、容器本体は、上の容器本体が、下の容器本体に嵌合された状態、所謂、ネスティングが可能であるとともに、ネスティングの状態から、何方か一方の容器本体を、水平面上で、１８０°回転させることにより、上の容器本体が、下の容器本体に段積みされた状態、所謂、スタッキングができるように構成されているものである。
【０００２】
【従来の技術】
従来、容器本体の相対する側壁に、それぞれ、側壁の一部を外側に膨出させることにより、縦長の逆台形状に形成されたポケットを、側壁の中心線を挟んで対称に、一対、形成するとともに、一方の側壁に形成されたポケットの間隔を、もう一方の側壁に形成されたポケットの間隔より広くした容器本体が知られており、上記ポケットに対応した側壁の外壁面には、縦長の逆台形状に形成された支脚が形成されている（特開昭４７−１２１４５号公報、特開平７−３００１３５号公報等）。
【０００３】
上述した容器本体を、同じ向きで上下方向に配置するとともに、上方の容器本体を下降させると、上の容器本体の支脚が、下の容器本体のポケットに挿入されて、上の容器本体が、下の容器本体に嵌合され、所謂、ネスティングされ、また、何方か一方の容器本体を、水平面上で、１８０°回転させた後、上方の容器本体を下降させると、上の容器本体の支脚が、下の容器本体のフランジに載置され、上の容器本体が、下の容器本体に段積みされ、所謂、スタッキングされるように構成されている。また、このような容器本体は、蓋をした状態で、段積みされる。
【０００４】
【発明が解決しようとする課題】
蓋付き容器を段積みした際には、蓋を介在して、上の容器本体の支脚が、下の容器本体のフランジに載置されることが重要であるが、容器本体に被蓋される蓋の向きによっては、上の容器本体の支脚が載置された下の容器本体に被蓋された蓋の下には、下の容器本体のポケットが位置する場合があり、このような場合には、上の容器本体の支脚は、下の容器本体に被蓋された蓋のみに載置されることになる。従って、上の蓋付き容器が重かったり、多数の蓋付き容器を段積みした際には、下の容器本体に被蓋された蓋が破損したり、安定した段積みができないという問題があった。
【０００５】
本発明の目的は、上述した従来の蓋付き容器が有する課題を解決することにある。
【０００６】
【課題を解決するための手段】
本発明は、上述した目的を達成するために、第１には、容器本体の相対する側壁には、それぞれ、側壁の一部を外側に膨出させることにより、内側寄りポケット及び内側寄り支脚と、外側寄りポケット及び外側寄り支脚を形成するとともに、上記容器本体に被蓋される蓋には、上記内側寄り支脚が載置される凹部及び外側寄り支脚が載置される凹部を形成し、上記内側寄り支脚が載置される凹部の裏面には、間隔の広い載置リブを垂設し、また、上記外側寄り支脚が載置される凹部の裏面には、間隔の狭い載置リブを垂設し、蓋の間隔の広い載置リブが形成された辺部が、容器本体の外側寄りポケット及び外側寄り支脚が形成された側壁側に位置し、また、蓋の間隔の狭い載置リブが形成された辺部が、容器本体の内側寄りポケット及び内側寄り支脚が形成された側壁側に位置するように、蓋を、容器本体に被せた際には、蓋が、水平状態になるように構成され、上記状態から、上記蓋を、平面上で、１８０°回転させて、容器本体に被せた際には、蓋が傾斜するように構成したものであり、第２には、外側寄りポケット及び外側寄り支脚が位置する容器本体の半分と、間隔の広い載置リブが位置する蓋の半分とを、同じ色に着色し、また、内側寄りポケット及び内側寄り支脚が位置する容器本体の半分と、間隔の狭い載置リブが位置する蓋の半分とを、同じ色に着色したものである。
【０００７】
【実施例】
以下に、容器本体Ｃと該容器本体Ｃに被蓋される蓋Ｒとからなる本発明の蓋付き容器の実施例について説明するが、本発明の趣旨を越えない限り何ら、本実施例に限定されるものではない。
【０００８】
先ず最初に、図１〜図８を用いて、容器本体Ｃについて説明する。
【０００９】
１は、平面形状が、ほぼ方形状の容器底部であり、容器底部１の四辺からは、外側に傾斜した側壁２ａ、２ｂ、２ｃ、２ｄが立設されている。側壁２ａ、２ｂ、２ｃ、２ｄの上端部から外側に、水平方向に延在するフランジ３が形成されており、フランジ３の先端部からは、下方に延在する折り返し壁４が垂設されている。なお、本実施例においては、一方の相対する側壁２ａ、２ｂの幅に対して、もう一方の相対する側壁２ｃ、２ｄの幅が広く形成されており、容器本体Ｃの平面形状は、ほぼ矩形状に形成されている。以下、幅の狭い方の側壁２ａ、２ｂを短辺側壁と称し、幅の広い方の側壁２ｃ、２ｄを長辺側壁と称する。
【００１０】
相対する短辺側壁２ａ、２ｂのうち、一方の側壁２ａには、短辺側壁２ａの一部を外側に膨出させることにより形成された、縦長の逆台形状に形成されたポケット５ａが、該短辺側壁２ａの中心垂線を挟んで対称に、一対、形成されている。ポケット５ａは、フランジ３から容器底部１まで延びており、上部は開放されており、また、底部は、容器底部１の延長として形成され、閉鎖されている。ポケット５ａに対応した短辺側壁２ａの外壁面には、縦長の逆台形状に形成された支脚５ｂが形成されることになる。
【００１１】
相対する短辺側壁２ａ、２ｂのうち、もう一方の短辺側壁２ｂにも、短辺側壁２ｂの一部を外側に膨出させることにより形成された、縦長の逆台形状に形成されたポケット６ａが、該短辺側壁２ｂの中心垂線を挟んで対称に、一対、形成されている。同様に、ポケット６ａは、フランジ３から容器底部１まで延びており、上部は開放されており、また、底部は、容器底部１の延長として形成され、閉鎖されている。ポケット６ａに対応した短辺側壁２ｂの外壁面には、縦長の逆台形状に形成された支脚６ｂが形成されることになる。
【００１２】
相対する短辺側壁２ａ、２ｂに、それぞれ形成されたポケット５ａ、６ａは、全く同一に形成されており、従って、短辺側壁２ａ、２ｂを外側に膨出することにより形成されたポケット５ａ、６ａに対応して、短辺側壁２ａ、２ｂの外壁面に、それぞれ形成された支脚５ｂ、６ｂも、全く同一に形成されている。支脚５ｂ、６ｂの底面５ｂ’、６ｂ’には、それぞれ、短辺側壁２ａ、２ｂに沿って、突条７、８が垂設されている。なお、容器底部１の下面には、必要に応じて、縦横に走るリブ１ａが、所定の間隔で形成されている。
【００１３】
また、相対する短辺側壁２ａ、２ｂのうち、一方の短辺側壁２ｂに形成されたポケット６ａ及び支脚６ｂは、もう一方の短辺側壁２ａに形成されたポケット５ａ及び支脚５ｂに比べて、短辺側壁２ｂの中心垂線寄りに配置されており、もう一方の短辺側壁２ａに形成されたポケット５ａ及び支脚５ｂは、短辺側壁２ａの両端部付近に配置されている。以下、短辺側壁２ｂの中心垂線寄りに配置されたポケット６ａ及び支脚６ｂを、それぞれ、内側寄りポケット６ａ及び内側寄り支脚６ｂと称し、短辺側壁２ａの両端部付近に配置されポケット５ａ及び支脚５ｂを、それぞれ、外側寄りポケット５ａ及び外側寄り支脚５ｂと称する。
【００１４】
短辺側壁２ａの上方に位置するフランジ３には、相対する短辺側壁２ｂに形成された内側寄りポケット６ａに対応した位置に、短辺側壁２ｂに形成された内側寄り支脚６ｂが載置される凹部９が形成されており、また、凹部９の上面９ａには、短辺側壁２ａに沿って突条１０が突設されており、後述するように、容器本体Ｃをスタッキングした際には、短辺側壁２ｂに形成された内側寄り支脚６ｂの底面６ｂ’に垂設された突条８が、凹部９の上面９ａに形成された突条１０と凹部９を構成する側面９ｂとの間に位置するように構成されている。同様に、短辺側壁２ｂの上方に位置するフランジ３には、短辺側壁２ａに形成された外側寄りポケット５ａに対応した位置に、短辺側壁２ａに形成された外側寄り支脚５ｂが載置される凹部１１が形成されており、また、凹部１１の上面１１ａには、短辺側壁２ｂに沿って突条１２が突設されており、後述するように、容器本体Ｃをスタッキングした際には、短辺側壁２ａに形成された外側寄り支脚５ｂの底面５ｂ’に垂設された突条７が、凹部１１の上面１１ａに形成された突条１２と凹部１１を構成する側面１１ｂとの間に位置するように構成されている。
【００１５】
本実施例においては、一方の短辺側壁２ａの上方に位置するフランジ３に形成された凹部９間に位置するフランジ３ａ及びもう一方の短辺側壁２ｂに形成された内側寄りポケット６ａ間に位置するフランジ３ｂの幅ｗ１（長辺側壁２ｃ、２ｄに沿った長さ）は、他の部分のフランジ３の幅ｗ２より広く形成されており、また、一方の短辺側壁２ａの上方に位置するフランジ３に形成された凹部９間に位置するフランジ３ａの長さｄ１は、もう一方の短辺側壁２ｂに形成された内側寄りポケット６ａ間に位置するフランジ３ｂの長さｄ２より長く形成されている。
【００１６】
また、本実施例においては、後述する理由により、容器本体Ｃは、短辺側壁２ａ、２ｂに沿った容器本体Ｃの中心線Ｌ１を挟んで、それぞれ別々の色に着色することが好ましい。図８には、容器本体Ｃの中心線Ｌ１を挟んで、一方の半分は、点が付され、もう一方の半分には、このような点が無く、点の有る無しで、色の異なる２色が表現されている。従って、長辺側壁２ｃ、２ｄを正面にして容器本体Ｃを見た場合に、長辺側壁２ｃ、２ｄの半分が、それぞれ、別々に着色されていることになる。なお、容器本体Ｃの半分の全体を着色することなく、その一部を帯状に着色することもできる。
【００１７】
１３は、長辺側壁２ｃ、２ｄの外壁面の両端部付近に、適当数、形成された長辺側垂直リブであり、フランジ３の裏面から、容器本体Ｃの半分程度まで延びている。また、１４は、短辺側壁２ａ、２ｂに形成された外側寄り支脚５ｂ及び内側寄り支脚６ｂの短辺側壁２ａ、２ｂにほぼ平行な外面に形成された短辺側垂直リブであり、長辺側垂直リブ１３と同様に、フランジ３の裏面から、容器本体Ｃの半分程度まで延びている。
【００１８】
図６に示されているように、上の容器本体Ｃｕと下の容器本体Ｃｂとを、互いに、反対向き、即ち、下の容器本体Ｃｂの短辺側壁２ｂに形成された内側寄りポケット６ａ及び内側寄り支脚６ｂの上には、上の容器本体Ｃｕの短辺側壁２ａに形成された外側寄りポケット５ａ及び外側寄り支脚５ｂが位置し、また、下の容器本体Ｃｂの短辺側壁２ａに形成された外側寄りポケット５ａ及び外側寄り支脚５ｂの上には、上の容器本体Ｃｕの短辺側壁２ｂに形成された内側寄りポケット６ａ及び内側寄り支脚６ｂが位置するように配置すると、上の容器本体Ｃｕの短辺側壁２ｂに形成された内側寄り支脚６ｂが、下の容器本体Ｃｂのフランジ３に形成された凹部９の上面９ａに載置され、また、上の容器本体Ｃｕの短辺側壁２ａに形成された外側寄り支脚５ｂが、下の容器本体Ｃｂのフランジ３に形成された凹部１１の上面１１ａに載置され、上の容器本体Ｃｕが、下の容器本体Ｃｂに段積み、即ち、スタッキングされることになる。このようにして、適宜、複数の容器本体Ｃを、段積みすることができる。
【００１９】
スタッキングの際、上述したように、上の容器本体Ｃｕの内側寄り支脚６ｂの底面６ｂ’に垂設された突条８が、下の容器本体Ｃｂの凹部９の上面９ａに形成された突条１０と凹部９を構成する側面９ｂとの間に位置し、また、上の容器本体Ｃｕの外側寄り支脚５ｂの底面５ｂ’に垂設された突条７が、下の容器本体Ｃｂの凹部１１の上面１１ａに形成された突条１２と凹部１１を構成する側面１１ｂとの間に位置するように構成されており、従って、下の容器本体Ｃｂの短辺側壁２ａ、２ｂに上方から大きな負荷がかかり、短辺側壁２ａ、２ｂの上部が離反する方向に移動しようとしても、下の容器本体Ｃｂの凹部９の上面９ａに形成された突条１０が、上の容器本体Ｃｕの内側寄り支脚６ｂの底面６ｂ’に垂設された突条８に係合し、また、下の容器本体Ｃｂの凹部９の上面９ａに形成された突条１０が、上の容器本体Ｃｕの外側寄り支脚５ｂの底面５ｂ’に垂設された突条７に係合するので、短辺側壁２ａ、２ｂの上部の離反方向への移動が抑制され、上の容器本体Ｃｕの内側寄り支脚６ｂ及び外側寄り支脚５ｂが、下の容器本体Ｃｂの凹部９、１１から外れて、下の容器本体Ｃｂ内に落ち込むようなことが防止できる。
【００２０】
また、上の容器本体Ｃｕと下の容器本体Ｃｂとを、互いに、同じ向き、即ち、下の容器本体Ｃｂの短辺側壁２ｂに形成された内側寄りポケット６ａ及び内側寄り支脚６ｂの上には、上の容器本体Ｃｕの短辺側壁２ｂに形成された内側寄りポケット６ａ及び内側寄り支脚６ｂが位置し、また、下の容器本体Ｃｂの側壁２ａに形成された外側寄りポケット５ａ及び外側寄り支脚５ｂの上には、上の容器本体Ｃｕの短辺側壁２ａに形成された外側寄りポケット５ａ及び外側寄り支脚５ｂが位置するように配置すると、上の容器本体Ｃｕの短辺側壁２ｂに形成された内側寄り支脚６ｂが、下の容器本体Ｃｂの短辺側壁２ｂに形成された内側寄りポケット６ａに挿入され、また、上の容器本体Ｃｕの短辺側壁２ａに形成された外側寄り支脚５ｂが、下の容器本体Ｃｂの短辺側壁２ａに形成された外側寄りポケット５ａに挿入され、図７に示されているように、上の容器本体Ｃｕが、下の容器本体Ｃｂに嵌合された状態、所謂、ネスティングされることになる。
【００２１】
ネスティングの際には、上の容器本体Ｃｕの短辺側壁２ａ、２ｂ、長辺側壁２ｃ、２ｄと、下の容器本体Ｃｂの短辺側壁２ａ、２ｂ、長辺側壁２ｃ、２ｄとが当接する直前で、上の容器本体Ｃｕの長辺側壁２ｃ、２ｄの外壁面に形成された長辺側垂直リブ１３及び外側寄り支脚５ｂ及び内側寄り支脚６ｂの外面に形成された短辺側垂直リブ１４が、下の容器本体Ｃｂのフランジ３に載置されるように構成されており、従って、上の容器本体Ｃｕを、下の容器本体Ｃｂから取り出す際に、上の容器本体Ｃｕの短辺側壁２ａ、２ｂ、長辺側壁２ｃ、２ｄと、下の容器本体Ｃｂの短辺側壁２ａ、２ｂ、長辺側壁２ｃ、２ｄとが当接したために、下の容器本体Ｃｂが、上の容器本体Ｃｕと一緒に持ち上げられるようなことが防止できるように構成されている。
【００２２】
次に、図１、図９及び図１０を用いて、蓋Ｒについて説明する。
【００２３】
蓋Ｒは、天板１５と、天板１５の周縁に沿って、天板１５を囲むように周状に形成された土手部１６とを有しており、土手部１６の裏面側には、周状凹部１６’が形成されている。土手部１６は、容器本体Ｃに蓋Ｒを被せた際に、容器本体Ｃの短辺側壁２ａ、２ｂ側に位置する短辺部１６ａ、１６ｂと、容器本体Ｃの長辺側壁２ｃ、２ｄ側に位置する長辺部１６ｃ、１６ｄとを有している。
【００２４】
土手部１６の一方の短辺部１６ａには、天板１５側が開放された凹部１７が、所定の間隔を置いて、２つ形成されており、凹部１７は、蓋Ｒの長辺部１６ｃ、１６ｄに沿った中心線Ｌ２を挟んで対称に配設されている。同様に、土手部１６のもう一方の短辺部１６ｂにも、天板１５側が開放された凹部１８が、所定の間隔を置いて、２つ形成されており、凹部１８も、蓋Ｒの長辺部１６ｃ、１６ｄに沿った中心線Ｌ２を挟んで対称に配設されている。土手部１６の一方の短辺部１６ａに形成された凹部１７を形成する底板１７ａの上面及びもう一方の短辺部１６ｂに形成された凹部１８を形成する底板１８ａの上面は、天板１５の上面とほぼ面一になるように形成されている。本実施例においては、土手部１６の短辺部１６ａに形成された凹部１７は、容器本体Ｃの短辺側壁２ａ側のフランジ３に形成された凹部９にほぼ対応した位置に、凹部９の短辺側壁２ａに沿った長さとほぼ同じ長さになるように形成されている。また、土手部１６の短辺部１６ｂに形成された凹部１８は、容器本体Ｃの短辺側壁２ａ側のフランジ３に形成された凹部１１及び内側寄りポケット６ａにほぼ対応した位置に、凹部１１及び内側寄りポケット６ａの短辺側壁２ｂに沿った長さとほぼ同じ長さになるように形成されている。
【００２５】
土手部１６の一方の短辺部１６ａに形成された一対の凹部１７の底板１７ａの裏面には、それぞれ、ほぼＵ字状の載置リブ１９が垂設されており、一対のほぼＵ字状の載置リブ１９の相対する開放側は、必要に応じて、低いリブ１９ａで連結されている。また、土手部１６のもう一方の短辺部１６ｂに形成された一対の凹部１８の底板１８ａの裏面にも、それぞれ、ほぼＵ字状の載置リブ２０が垂設されており、一対のほぼＵ字状の載置リブ２０の長辺側壁２ｃ、２ｄ側の開放側は、必要に応じて、低いリブ２０ａで連結されている。
【００２６】
土手部１６の一方の短辺部１６ａ側の凹部１７の底板１７ａに垂設された一対の載置リブ１９の間隔ｄ３は、容器本体Ｃの一方の短辺側壁２ａの上方に位置するフランジ３に形成された凹部９間に位置するフランジ３ａの長さｄ１及びもう一方の短辺側壁２ｂに形成された内側寄りポケット６ａ間に位置するフランジ３ｂの長さｄ２より長く形成されている。また、土手部１６のもう一方の短辺部１６ｂ側の凹部１８の底板１８ａに垂設された一対の載置リブ２０の間隔ｄ４は、容器本体Ｃの一方の短辺側壁２ａの上方に位置するフランジ３に形成された凹部９間に位置するフランジ３ａの長さｄ１より短く、そして、もう一方の短辺側壁２ｂに形成された内側寄りポケット６ａ間に位置するフランジ３ｂの長さｄ２より長く形成されている。なお、短辺部１６ａ側の凹部１７の底板１７ａに垂設された一対の載置リブ１９の間隔ｄ３は、もう一方の短辺部１６ｂ側の凹部１８の底板１８ａに垂設された一対の載置リブ２０の間隔ｄ４より広いので、短辺部１６ａ側の凹部１７の底板１７ａに垂設された一対の載置リブ１９を、間隔の広い載置リブと称し、短辺部１６ｂ側の凹部１８の底板１８ａに垂設された一対の載置リブ２０を、間隔の狭い載置リブと称する。
【００２７】
なお、２１は、土手部１６の裏面側に形成された周状凹部１６’を架橋するように、蓋Ｒの裏面から垂設された適当数のリブであり、リブ２１の下端は、天板１５の裏面１５’とほぼ面一になるように構成されている。
【００２８】
蓋Ｒの間隔の広い載置リブ１９が形成された短辺部１６ａが、容器本体Ｃの外側寄りポケット５ａ及び外側寄り支脚５ｂが形成された短辺側壁２ａ側に位置し、また、蓋Ｒの土手部１６の間隔の狭い載置リブ２０が形成された短辺部１６ｂが、容器本体Ｃの内側寄りポケット６ａ及び内側寄り支脚６ｂが形成された短辺側壁２ｂ側に位置するように、蓋Ｒを、容器本体Ｃに被せた際には、蓋Ｒの土手部１６の短辺部１６ａに形成された凹部１７を形成する底板１７ａの裏面に垂設された間隔の広い載置リブ１９は、容器本体Ｃの短辺側壁２ａ側のフランジ３に形成された凹部９の上面９ａに載置されるとともに、間隔の広い載置リブ１９内に、凹部９の上面９ａに突設された突条１０が位置するように構成されており、また、間隔の広い載置リブ１９の間隔ｄ３は、容器本体Ｃの短辺側壁２ａの上方に位置するフランジ３に形成された凹部９間に位置するフランジ３ａの長さｄ１より長く形成されているので、間隔の広い載置リブ１９が、フランジ３に形成された凹部９間に位置するフランジ３ａの上に載置されるようなことがない。また、蓋Ｒの土手部１６の短辺部１６ｂに形成された凹部１８を形成する底板１８ａの裏面に垂設された間隔の狭い載置リブ２０は、容器本体Ｃの短辺側壁２ｂ側のフランジ３に形成された凹部１１の上面１１ａに載置されるように構成されているとともに、間隔の狭い載置リブ２０内に、凹部１１の上面１１ａに突設された突条１２が位置するように構成されており、また、間隔の狭い載置リブ２０の間隔ｄ４は、容器本体Ｃの短辺側壁２ｂに形成された内側寄りポケット６ａ間に位置するフランジ３ｂの長さｄ２より長く形成されているので、間隔の狭い載置リブ２０が、内側寄りポケット６ａ間に位置するフランジ３ｂの上に載置されるようなことがない。従って、蓋Ｒは、容器本体Ｃに水平状態に被蓋されることになり、容器本体Ｃに対して、傾斜するようなことはない。
【００２９】
上述したとは逆に、蓋Ｒの間隔の狭い載置リブ２０が形成された短辺部１６ｂが、容器本体Ｃの外側寄りポケット５ａ及び外側寄り支脚５ｂが形成された短辺側壁２ａ側に位置し、また、蓋Ｒの間隔の広い載置リブ１９が形成された短辺部１６ａが、容器本体Ｃの内側寄りポケット６ａ及び内側寄り支脚６ｂが形成された短辺側壁２ｂ側に位置するように、蓋Ｒを、容器本体Ｃに被せた際には、土手部１６の短辺部１６ａに形成された凹部１７を形成する底板１７ａの裏面に垂設された間隔の広い載置リブ１９は、容器本体Ｃの内側寄りポケット６ａの上方に位置するとともに、間隔の広い載置リブ１９の間隔ｄ３は、容器本体Ｃの短辺側壁２ｂに形成された内側寄りポケット６ａ間に位置するフランジ３ｂの長さｄ２より長く形成されているので、フランジ３ｂに当接することなく、上記のように、内側寄りポケット６ａの上方に位置し、且つ、土手部１６の裏面側に形成された周状凹部１６’を架橋するリブ２１の下端が、フランジ３に載置されることになる。また、土手部１６の短辺部１６ｂに形成された凹部１８を形成する底板１８ａの裏面に垂設された間隔の狭い載置リブ２０は、その間隔ｄ４が、容器本体Ｃの短辺側壁２ａの上方に位置するフランジ３に形成された凹部９間に位置するフランジ３ａの長さｄ１より短いので、間隔の狭い載置リブ２０の相対する側の一部が、フランジ３に形成された凹部９間に位置するフランジ３ａに載置されることになるので、従って、容器本体Ｃに被蓋された蓋Ｒは、容器本体Ｃの一方の短辺側壁２ａが高く、もう一方の短辺側壁２ｂに向かって下り方向に傾斜することになる。
【００３０】
上述したように、容器本体Ｃに被蓋された蓋Ｒが、水平状態の場合には、蓋Ｒの土手部１６の一方の短辺部１６ａに形成された凹部１７を形成する底板１７ａの裏面に垂設された間隔の広い載置リブ１９が、容器本体Ｃの短辺側壁２ａ側のフランジ３に形成された凹部９の上面９ａに載置されるとともに、蓋Ｒの土手部１６のもう一方の短辺部１６ｂに形成された凹部１８を形成する底板１８ａの裏面に垂設された間隔の狭い載置リブ２０が、容器本体Ｃの短辺側壁２ｂ側のフランジ３に形成された凹部１１の上面１１ａに載置されることになる。このような状態で、更に．蓋Ｒの上に、他の容器本体Ｃｕを、図１１に示されているように、土手部１６の一方の短辺部１６ａに形成された凹部１７の底板１７ａに、上の容器本体Ｃｕの内側寄り支脚６ｂの底面６ｂ’を載置するとともに、土手部１６のもう一方の短辺部１６ｂに形成された凹部１８の底板１８ａに、上の容器本体Ｃｕの外側寄り支脚５ｂの底面５ｂ’を載置すると、蓋Ｒを介して、上の容器本体Ｃｕの内側寄り支脚６ｂ及び外側寄り支脚５ｂの真下には、それぞれ、下の容器本体Ｃｂの短辺側壁２ａ側のフランジ３に形成された凹部９の上面９ａ及び短辺側壁２ｂ側のフランジ３に形成された凹部１１の上面１１ａが位置し、従って、上の容器本体Ｃｕの内側寄り支脚６ｂ及び外側寄り支脚５ｂは、蓋Ｒを介して、下の容器本体Ｃｂの凹部９、１１の上面９ａ、１１ａに支持されるので、このような支持がない場合に比べて、蓋Ｒが下方に変形し、彎曲したり、破損するようなことがない。
【００３１】
また、容器本体Ｃに被蓋された蓋Ｒが、傾斜している場合には、蓋Ｒの土手部１６の一方の短辺部１６ａに形成された凹部１７を形成する底板１７ａの裏面に垂設された間隔の広い載置リブ１９は、容器本体Ｃの内側寄りポケット６ａの上方に位置するとともに、土手部１６のもう一方の短辺部１６ｂに形成された凹部１８を形成する底板１８ａの裏面に垂設された間隔の狭い載置リブ２０は、間隔の狭い載置リブ２０の相対する側の一部が、フランジ３に形成された凹部９間に位置するフランジ３ａに載置されることになる。このような状態で、更に．蓋Ｒの上に、他の容器本体Ｃｕを、土手部１６の一方の短辺部１６ａに形成された凹部１７の底板１７ａに、上の容器本体Ｃｕの内側寄り支脚６ｂの底面６ｂ’を載置するとともに、土手部１６のもう一方の短辺部１６ｂに形成された凹部１８の底板１８ａに、上の容器本体Ｃｕの外側寄り支脚５ｂの底面５ｂ’を載置すると、蓋Ｒを介して、上の容器本体Ｃｕの内側寄り支脚６ｂの真下には、下の容器本体Ｃｂの内側寄りポケット６ａが位置し、従って、蓋Ｒを支える、下の容器本体Ｃｂの短辺側壁２ａ側のフランジ３に形成された凹部９の上面９ａが存在しないので、上の容器本体Ｃｕの重さにより、蓋Ｒが下方に変形し、彎曲したり、破損する恐れがあるとともに、蓋Ｒが傾斜しているので、上の容器本体Ｃｕも傾斜することになり、従って、安定した状態で、容器本体Ｃを段積みすることができない。
【００３２】
上述したように、蓋Ｒが傾斜して被蓋された場合には、上の容器本体Ｃｕの内側寄り支脚６ｂの真下には、下の容器本体Ｃｂの内側寄りポケット６ａが位置し、従って、蓋Ｒを支える、下の容器本体Ｃｂの短辺側壁２ａ側のフランジ３に形成された凹部９の上面９ａが存在しないので、上の容器本体Ｃｕの重さにより、蓋Ｒが下方に変形し、彎曲したり、破損する恐れがあるので、蓋Ｒが傾斜して被蓋された場合には、蓋Ｒを、水平面上で、１８０°回転させて、蓋Ｒが水平状態になるようにして、蓋Ｒを介して、上の容器本体Ｃｕの内側寄り支脚６ｂ及び外側寄り支脚５ｂの真下には、それぞれ、下の容器本体Ｃｂの短辺側壁２ａ側のフランジ３に形成された凹部９の上面９ａ及び短辺側壁２ｂ側のフランジ３に形成された凹部１１の上面１１ａが位置するようにする。このように、容器本体Ｃに被蓋された蓋Ｒが、水平状態か、或いは、傾斜しているかにより、蓋Ｒが、適正に被蓋されているか否かを判断することができる。
【００３３】
また、上述したように、蓋Ｒの間隔の広い載置リブ１９が形成された短辺部１６ａが、容器本体Ｃの外側寄りポケット５ａ及び外側寄り支脚５ｂが形成された短辺側壁２ａ側に位置し、また、蓋Ｒの土手部１６の間隔の狭い載置リブ２０が形成された短辺部１６ｂが、容器本体Ｃの内側寄りポケット６ａ及び内側寄り支脚６ｂが形成された短辺側壁２ｂ側に位置するように、蓋Ｒを、容器本体Ｃに被せて、間隔の広い載置リブ１９が、容器本体Ｃの短辺側壁２ａ側のフランジ３に形成された凹部９の上面９ａに載置され、また、間隔の狭い載置リブ２０が、容器本体Ｃの短辺側壁２ｂ側のフランジ３に形成された凹部１１の上面１１ａに載置されるとともに、蓋Ｒが、容器本体Ｃに水平状態に被蓋されることを、より確実に、作業者が識別できるように、上述した容器本体Ｃと同様に、蓋Ｒには、図１２に示されているように、土手部１６の短辺部１６ａ、１６ｂに沿った蓋部の中心線Ｌ３を挟んで、それぞれ別々の色に着色されることが好ましい。そして、外側寄りポケット５ａ及び外側寄り支脚５ｂが位置する容器本体Ｃの半分と、間隔の広い載置リブ１９が位置する蓋Ｒの半分とを、同じ色に着色し、また、内側寄りポケット６ａ及び内側寄り支脚６ｂが位置する容器本体Ｃの半分と、間隔の狭い載置リブ２０が位置する蓋Ｒの半分とを、同じ色に着色し、蓋Ｒと容器本体Ｃの同じ色が着色された側が、同じ側に位置するように、蓋Ｒを容器本体Ｃに被蓋することにより、上記のように、蓋Ｒの間隔の広い載置リブ１９が形成された短辺部１６ａが、容器本体Ｃの外側寄りポケット５ａ及び外側寄り支脚５ｂが形成された短辺側壁２ａ側に位置し、また、蓋Ｒの土手部１６の間隔の狭い載置リブ２０が形成された短辺部１６ｂが、容器本体Ｃの内側寄りポケット６ａ及び内側寄り支脚６ｂが形成された短辺側壁２ｂ側に位置するように、確実に、蓋Ｒを、容器本体Ｃに被せることができる。なお、蓋Ｒの半分の全体を着色することなく、その一部を帯状に着色することもできる。
【００３４】
【発明の効果】
本発明は、以上説明した構成を有しているので、以下に記載する効果を奏するものである。
【００３５】
蓋が、水平状態で、容器本体に被蓋されているか、蓋が、傾斜状態で、容器本体に被蓋されているかを識別することにより、蓋の凹部を形成する底板の裏面に垂設された間隔の広い載置リブ及び間隔の狭い載置リブが、容器本体の短辺側壁側のフランジに形成された凹部の上面に載置されているかどうかを、容易に識別することができる。
【００３６】
外側寄りポケット及び外側寄り支脚が位置する容器本体の半分と、間隔の広い載置リブが位置する蓋の半分とを、同じ色に着色し、また、内側寄りポケット及び内側寄り支脚が位置する容器本体の半分と、間隔の狭い載置リブが位置する蓋の半分とを、同じ色に着色することにより、蓋の凹部を形成する底板の裏面に垂設された間隔の広い載置リブ及び間隔の狭い載置リブが、容器本体の短辺側壁側のフランジに形成された凹部の上面に載置されているかどうかを、更に容易に識別することができる。
【図面の簡単な説明】
【図１】図１は本発明の蓋付き容器を構成する蓋と容器本体の分解斜視図である。
【図２】図２は本発明の蓋付き容器を構成する容器本体の平面図である。
【図３】図３は本発明の蓋付き容器を構成する容器本体の左側面図である。
【図４】図４は本発明の蓋付き容器を構成する容器本体の右側面図である。
【図５】図５は本発明の蓋付き容器を構成する容器本体の底面図である。
【図６】図６は本発明の蓋付き容器を構成する容器本体のスタッキング状態を示す斜視図である。
【図７】図７は本発明の蓋付き容器を構成する容器本体のネスティング状態を示す斜視図である。
【図８】図８は本発明の蓋付き容器を構成する別の実施例の容器本体の平面図である。
【図９】図９は本発明の蓋付き容器を構成する蓋の平面図である。
【図１０】図１０は本発明の蓋付き容器を構成する蓋の裏面図である。
【図１１】図１１は本発明の蓋付き容器が段積みされた状態の斜視図である。
【図１２】図１２は本発明の蓋付き容器を構成する別の実施例の蓋の平面図である。
【符号の説明】
Ｃ・・・・・・・・・・・・・・容器本体
Ｒ・・・・・・・・・・・・・・蓋
２ａ、２ｂ・・・・・・・・・・短辺側壁
２ｃ、２ｄ・・・・・・・・・・長辺側壁
３・・・・・・・・・・・・・・フランジ
５ａ・・・・・・・・・・・・・外側寄りポケット
６ａ・・・・・・・・・・・・・内側寄りポケット
５ｂ・・・・・・・・・・・・・外側寄り支脚
６ｂ・・・・・・・・・・・・・内側寄り支脚
９、１１・・・・・・・・・・・凹部
１６・・・・・・・・・・・・・土手部
１９・・・・・・・・・・・・・間隔の広い載置リブ
２０・・・・・・・・・・・・・間隔の狭い載置リブ
【図１】
0003684119.tif 000002
【図２】
0003684119.tif 000003
【図３】
0003684119.tif 000004
【図４】
0003684119.tif 000005
【図５】
0003684119.tif 000006
【図６】
0003684119.tif 000007
【図７】
0003684119.tif 000008
【図８】
0003684119.tif 000009
【図９】
0003684119.tif 000010
【図１０】
0003684119.tif 000011
【図１１】
0003684119.tif 000012
【図１２】
0003684119.tif 000013